【事件の表示】
　特許第３０４４４１９号「パチンコ機」の請求項１に係る特許に対する特許異議の申立てについて、次のとおり決定する。
【結　論】
　訂正を認める。
　特許第３０４４４１９号の請求項１に係る特許を維持する。
【理　由】
１．手続の経緯
　本件特許第３０４４４１９号の請求項１に係る発明は、平成３年１１月１日に特許出願され、平成１２年３月１７日にその設定登録がなされ、その後、細江裕実より特許異議の申立てがなされ、平成１３年７月２４日付けで取消理由通知がなされ、その指定期間内である平成１３年１０月２日に訂正請求がなされ（後日取り下げ）、平成１４年４月１２日付けで再度の取消理由通知がなされ、その指定期間内である平成１４年６月２１日に訂正請求がなされたものである。      
２．訂正の適否についての判断
（１）訂正の内容
訂正事項ａ
　特許請求の範囲の請求項１の記載を、
 「【請求項１】入賞球を検出して入賞球検出信号を送出する入賞球検出手段及び、
　入賞球を、入賞球検出手段での検出の後、確認して入賞球確認信号を送出する入賞球確認手段を有する入賞球処理装置と、
　枠制御回路及び遊技盤制御回路を有する制御手段と、
　制御手段の制御下に所望数の賞球を払出可能な賞球払出装置と、
　を備え、
　枠制御回路は、前枠に添設したリアプレートに対して開閉可能に蝶着された機構枠セット部材から外れた、リアプレートの背面側の下方に設けられて、この機構枠セット部材に設けられた賞球払出装置を含むパチンコ機本体を主に制御し、
　遊技盤制御回路は、前枠に対して着脱自在に収納された遊技盤の裏面側に止着され、遊技盤に配置した電気機器を主に制御し、
　入賞球検出手段を枠制御回路に接続し、
　入賞球確認手段を遊技盤制御回路に接続し、
　枠制御回路が入賞球検出信号に基づき入賞球処理装置を制御することにより、入賞球確認手段は遊技盤制御回路に入賞球確認信号を出力し、
　遊技盤制御回路は入賞球確認信号に基づいて、枠制御回路に対する待機信号の状態を予め定められた状態に変化させると共に払い出す賞球数を表す賞球数信号を枠制御回路に送信し、
　枠制御回路は待機信号の状態が前記予め定められた状態のときに受信した賞球数信号に基づき払い出す賞球数を確定し、所定個数の賞球が待機していることを条件に賞球払出装置の作動を開始させて確定した数の賞球を払い出すことを特徴とするパチンコ機。」と訂正する。
訂正事項ｂ
　特許明細書の段落【０００４】の【課題を解決するための手段】を、
「【課題を解決するための手段】本発明は、上記に鑑み提案されたもので、入賞球を検出して入賞球検出信号を送出する入賞球検出手段及び、入賞球を、入賞球検出手段での検出の後、確認して入賞球確認信号を送出する入賞球確認手段を有する入賞球処理装置と、枠制御回路及び遊技盤制御回路を有する制御手段と、制御手段の制御下に所望数の賞球を払出可能な賞球払出装置と、を備え、枠制御回路は、前枠に添設したリアプレートに対して開閉可能に蝶着された機構枠セット部材から外れた、リアプレートの背面側の下方に設けられて、この機構枠セット部材に設けられた賞球払出装置を含むパチンコ機本体を主に制御し、遊技盤制御回路は、前枠に対して着脱自在に収納された遊技盤の裏面側に止着され、遊技盤に配置した電気機器を主に制御し、入賞球検出手段を枠制御回路に接続し、入賞球確認手段を遊技盤制御回路に接続し、枠制御回路が入賞球検出信号に基づき入賞球処理装置を制御することにより、入賞球確認手段は遊技盤制御回路に入賞球確認信号を出力し、遊技盤制御回路は入賞球確認信号に基づいて、枠制御回路に対する待機信号の状態を予め定められた状態に変化させると共に払い出す賞球数を表す賞球数信号を枠制御回路に送信し、枠制御回路は待機信号の状態が前記予め定められた状態のときに受信した賞球数信号に基づき払い出す賞球数を確定し、所定個数の賞球が待機していることを条件に賞球払出装置の作動を開始させて確定した数の賞球を払い出すようにしたものである。」と訂正する。
訂正事項ｃ
　特許明細書の段落【０００５】の【作用】を、
「【作用】枠制御回路及び遊技盤制御回路を有した制御手段において、入賞球確認信号に基づいて遊技盤制御回路が枠制御回路に対する待機信号の状態を予め定められた状態に変化させると共に払い出す賞球数を表す賞球数信号を枠制御回路に送信する一方、枠制御回路では待機信号の状態が予め定められた状態のときに受信した賞球数信号に基づき払い出す賞球数を確定し、所定個数の賞球が待機していることを条件に賞球払出装置に対して賞球の払出を命令する。」と訂正する。
訂正事項ｄ
　特許明細書の段落【００４０】の【発明の効果】を、
「【発明の効果】本発明によれば、遊技盤制御回路は入賞球確認信号に基づいて、枠制御回路に対する待機信号の状態を予め定められた状態に変化させると共に払い出す賞球数を表す賞球数信号を枠制御回路に送信し、枠制御回路は待機信号の状態が前記予め定められた状態のときに受信した賞球数信号に基づいて払い出す賞球数を確定し、所定個数の賞球が待機していることを条件に賞球払出装置の作動を開始させて確定した数の賞球を払い出し、また遊技盤制御回路に対して枠制御回路からの信号の入力がないので遊技盤制御回路に対する不正な信号を入力した場合の発見が容易となり、不正に賞球払出装置を作動させたり、不正な信号を入力して大当りを発生させるなどの改造ができない安全性の極めて高いパチンコ機を提供する」と訂正する。                       　 
（２）訂正の目的の適否、新規事項の有無及び拡張変更の存否
　上記訂正事項ａにおける「入賞球を確認すると共に入賞球確認信号を送出する入賞球確認手段と、」を「入賞球を検出して入賞球検出信号を送出する入賞球検出手段及び、入賞球を、入賞球検出手段での検出の後、確認して入賞球確認信号を送出する入賞球確認手段を有する入賞球処理装置と、」と訂正することは、特許明細書の段落【００２１】の記載に基づき特許明細書の特許請求の範囲に記載されていた入賞球確認信号及び入賞球確認手段を明りょうにしようとするものであるから、明りょうでない記載の釈明を目的とするものであり、上記訂正事項ａにおける「枠制御回路は、前枠に添設したリアプレートに対して開閉可能に蝶着された機構枠セット部材から外れた、リアプレートの背面側の下方に設けられて、この機構枠セット部材に設けられた賞球払出装置を含むパチンコ機本体を主に制御し、遊技盤制御回路は、前枠に対して着脱自在に収納された遊技盤の裏面側に止着され、遊技盤に配置した電気機器を主に制御し、」と訂正することは、特許明細書の段落【００１０】、段落【００１１】、段落【００１４】の各記載に基づき、特許明細書の特許請求の範囲に記載されていた枠制御回路と遊技盤制御回路をより限定しようとするものであるから、特許請求の範囲の減縮を目的とするものであり、上記訂正事項ａにおける「入賞球確認手段を遊技盤制御回路に接続し、遊技盤制御回路は入賞球確認信号に基づいて、待機信号の状態を変化させると共に払い出す賞球数を表す賞球数信号を枠制御回路に送信し」を「入賞球検出手段を枠制御回路に接続し、入賞球確認手段を遊技盤制御回路に接続し、枠制御回路が入賞球検出信号に基づき入賞球処理装置を制御することにより、入賞球確認手段は遊技盤制御回路に入賞球確認信号を出力し、遊技盤制御回路は入賞球確認信号に基づいて、枠制御回路に対する待機信号の状態を予め定められた状態に変化させると共に払い出す賞球数を表す賞球数信号を枠制御回路に送信し」と訂正することは、特許明細書の段落【００２７】乃至段落【００３１】の各記載に基づき、特許明細書の特許請求の範囲に記載されていた入賞球確認信号、待機信号、枠制御回路を明りょうにしようとするものであるから、明りょうでない記載の釈明を目的とするものであり、また、上記訂正事項ｂ、ｃ、ｄは、前記特許請求の範囲の明りょうでない記載の釈明及び減縮に伴って、その特許請求の範囲の記載と発明の詳細な説明の記載とを整合させるために、課題を解決するための手段、作用、発明の効果を訂正する明りょうでない記載の釈明を目的とするものであり、これらの訂正事項ａ、ｂ、ｃ，ｄは、特許明細書に記載された事項の範囲内において訂正するものであるから新規事項の追加に該当せず、また、実質上特許請求の範囲を拡張し又は変更するものでもない。　
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
                        
３．特許異議申立てについての判断
（１）申立ての理由の概要 
　異議申立人細江裕実は、証拠として下記の甲第１号証を提出し、本件請求項１に係る発明は、その出願日前の出願であって、その出願後に出願公開された甲第１号証に記載された発明と実質的に同一であり、しかも、請求項１に係る発明の発明者が甲第１号証に記載された発明の発明者と同一であるとも、本件出願の時において、その出願人が上記甲１号証の出願人と同一であるとも認められないので、本件請求項１に係る発明の特許は、特許法第２９条の２第１項の規定に違反してなされたものであり取り消されるべき旨、また、証拠として下記の甲第２号証乃至甲第４号証を提出し、本件請求項１に係る発明は、出願前公知の甲第２号証乃至甲第４号証に記載された発明に基づいて当業者が容易に発明をすることができたものと認められるので、本件請求項１に係る発明の特許は、特許法第２９条第２項の規定に違反してなされたものであり取り消されるべき旨、主張している。
　甲第１号証：特願平３−１４５５８１号（特開平４−３４３８７５号公報）
  甲第２号証：特開平３−１９１９７０号公報
  甲第３号証：特開平３−５５０８０号公報
  甲第４号証：特開昭６０−１１９９７７号公報
（２）本件発明
　本件請求項１に係る発明は、本件の訂正明細書及び図面の記載からみて、その特許請求の範囲の請求項１に記載された事項により特定されるとおりのものである。（前記（１）訂正の内容　訂正事項ａ参照）
（３）特許法第２９条の２第１項違反について
ａ　先願明細書である甲第１号証に記載の発明
　甲第１号証〔特願平３−１４５５８１号（特開平４−３４３８７５号公報）〕はカード式パチンコ遊技機に係るものであり、以下の事項が記載されている。
「【００１５】図３には上記球排出装置１７０の一実施例を示す。この球排出装置１７０は、貯留タンク１５１に貯留された予備球を誘導する上記誘導樋１５２に連続するように構成された案内樋７１０を備えている。この案内樋７１０は上記誘導樋１５２に対応して２条に形成されており、各条の通路に対応して流下阻止手段としてのストッパ７４５とその駆動用排出ソレノイド７４１とからなる排出手段７４０も２組設けられている。上記案内樋７１０は、その機能から３つの部分からなり、上から順にそれぞれ減圧部７１１、縁切り部７１２、排出部７１３とされている。」（第５欄第５行〜第１５行）、
「図４には、パチンコ遊技機１００の制御系の一実施例が示されている。この制御系は大きく分けると、主としてパチンコ遊技機１００の遊技盤に関する制御を司る遊技盤制御回路としての遊技盤制御装置４００と、カードリーダ等の制御を司る玉貸し制御回路としての玉貸し制御装置５００と、上記球排出装置１７０の制御を司る排出制御回路としての排出制御装置６００とにより構成されている。【００２２】上記制御装置のうち遊技盤制御装置４００は、パチンコ遊技機の遊技盤１０２に設けられている各種入賞球検出器から検出信号を受けて役物の駆動信号を形成したり、パチンコ遊技機の裏機構盤に設けられている入賞球分離検出装置１８０内の検出器（セーフセンサ）１８１からの信号を受けて入賞球分離用のセーフソレノイド１８２を作動させたり、スピーカ１９０に対する駆動信号を形成する。また、遊技盤制御装置４００は、遊技状態を監視してパチンコ店の管理装置７００に対してパチンコ機が稼働中であることや大当りの発生、打止めの発生等の状態に関する情報を伝える機能を備えている。【００２３】排出制御装置６００は、上記玉貸し制御装置５００または遊技盤制御装置４００からの排出指令信号に基づいて上記球排出装置１７０内の２条の案内樋７１０の途中に設けられた一対のストッパ７４５を作動させる排出ソレノイド７４１ａ，７４１ｂを励磁して、排出センサ７３０ａ，７３０ｂの検出信号に基づいて各案内樋７１０内の予備球を所定数だけ排出させるとともに、球抜きスイッチ７５０からのオン信号に基づいて排出ソレノイド７４１ａ，７４１ｂを励磁し、かつ流路切換え弁１５８の駆動源を作動させて貯留タンク１５１および誘導樋１５２内の予備球をすべて排出させたりする。」（第６欄第２２行〜第７欄第２行）、
「【００２８】上記賞球数確定手段４１０は、例えばセーフセンサ１８１からの検出信号の立上りエッジを検出して入賞球検出信号を形成する入賞球検出手段４１１と、一つの入賞球検出信号に対する賞品球数を記憶する賞球数記憶手段４１２と、遊技盤の役物等に設けられ一般の入賞球に対する賞球数と異なる賞球数を与える特定の入賞領域へ入賞した遊技球の数を記憶する特定入賞数記憶手段４１３とからなり、入賞球を検知するとそれぞれの入賞球に対応して予め設定されたる賞球データを出力するように構成されている。」（第７欄第４ ９行〜第８欄第８行）、
「【００３４】また、上記制御部６１０は、図８に示すように賞球排出制御部６１６と、貸し玉排出制御部６１７と、玉抜き排出制御部６１８と停電制御部６１９とにより構成される。このうち、賞球排出制御部６１６は、遊技盤制御装置４００からの賞球データＢとその取込みタイミングを示すデータストローブ信号Ｃを受けて賞品球数を記憶し、排出センサ７３０からの検出信号に基づいて実際の排出数を演算する賞球排出数記憶演算部６６１と、演算された排出数に基づいて残りの排出数を判定し排出ソレノイド７４１ａ，７４１ｂの駆動信号を形成する排出制御信号形成部６６２とより構成されている。」（第９欄第２３行〜第３３行）、
「【００４８】図１３には、図１２のメインルーチン（バックグランド処理）に優先して排出制御装置６００によって所定時間（例えば０．５ｍｓｅｃ）経過毎に行なわれるタイマ割込処理の手順が示されている。この割込処理は各種入力信号の読込みのために行なわれるものである。この割込処理が開始されると、先ず、各種タイマのカウント値の更新が行なわれ（ステップＳ４０）、次いで玉貸しリクエスト検出処理（ステップＳ４１）、賞球データ検出処理（ステップＳ４２）、枠センサの入力処理（ステップＳ４３）、排出センサ１の入力処理（ステップＳ４４）、排出センサ２の入力処理（ステップＳ４６）、排出センサ１レベル入力処理（ステップＳ４８）、排出センサ２レベル入力処理（ステップＳ５０）、球抜センサの入力処理（ステップＳ５２）、補給センサの入力処理（ステップＳ５４）、オーバーフロー検出器入力処理（ステップＳ５６）、待機球検出器の入力処理（ステップＳ５８）およびアウトセンサ入力処理（ステップＳ６０）が順次行なわれる。」（第１３欄第２６行〜第４３行）、
「【００５２】図１５は、上記ステップＳ４２にて行なわれる賞球データ検出処理ルーチンのフローチャートである。この処理においては、まず玉貸し排出中か否か調べて（ステップＳ４２０２）、排出中でないときはステップＳ４２０４へ進んで既に賞球排出処理に入っているか否か判定して賞球排出中なら何もせずに処理を終了し、賞球排出中でないときはステップＳ４２０６へ進んで遊技盤制御装置４００からのデータストロープ信号Ｃがロウレベルにアサートされているか調べる。ここでデータストローブ信号Ｃがロウレベルであると判定すると、ステップＳ４２１２へ移行して信号が連続して１０ｍ秒以上ロウレベルにされているか判定し、“Ｙｅｓ”なら遊技盤制御装置４００からの賞球数データＢを読み込んでから、賞球要求フラグをセットして処理を終了する（ステップＳ４２１４，Ｓ４２１６）。これによって、図１２のメインルーチン中のステップＳ１２で“Ｙｅｓ”と判定されて、処理ナンバーが “１”に設定され、しかる後ステップＳ９で“Ｙｅｓ”と判定されて賞球開始処理Ｓ１９が開始される。」（第１４欄第４４行〜第１５欄第１２行）、
「【０１４３】図２９は、前述した賞球排出制御装置のメインルーチン（図１２）のステップＳ１９で実行される賞球開始処理のサブルーチンを示すフローチャートである。このサブルーチンは、メインルーチン（図１２）のステップＳ１２で賞球要求を検出すると、処理ナンバーが「ｌ」にされ、ステップＳ９で“Ｙｅｓ”と判定されることによって開始される。このサブルーチンが開始されると、まず前記図１９および図２０の排出センサレベル入力処理ルーチンで設定される排出センサ１玉有フラグおよび排出センサ２玉有フラグと、図２４の半端センサ入力処理ルーチンで設定される半端センサ玉有フラグさらに図２３のオーバーフロー検出器入力処理ルーチンで設定されるオーバーフロー玉無フラグを調べて（ステップＳ８１−Ｓ８４）、いずれか一つのフラグでも“０”になっている場合には排出可能フラグを“ ０”にクリアして終了する（ステップＳ８５）。一方、すべてのフラグが“１”になっている場合には排出可能フラグを“１”にセットし（ステップＳ８６）、図１５の賞球データ検出処理ルーチンで読み込んだ賞球データを排出レジスタ０にセットする（ステップＳ８７）。また、賞品球排出表示ランプ１１２を点灯させ、賞球音要求フラグを“１”にセットしてから、次の図３０に示す排出開始処理ルーチンを実行した後、処理ナンバーを「２」にして終了する（ステップＳ８８−Ｓ９１）。」（第４１欄第１９行〜第４２行）、
「図３０に示す排出開始処理ルーチンでは、１つの入賞球（セーフ球）に対して１回行われる所定数の賞品球の排出を行なうに当り、上記所定数（賞球設定数）の賞品球を、２条に設けられた案内樋７１０（図３参照）の一方から幾つ排出し、他方から幾つ排出するか等排出の態様を予め決定すると共に、排出ソレノイド１及び／又は排出ソレノイド２を励磁（ＯＮ）して上記態様に従った賞品球の排出を開始させるものである。」（第４１欄第４７行〜第４２欄第４行）、【図４】。
　前記摘示した事項によれば、先願明細書である甲第１号証には、以下の発明（以下、「先願発明」という。）が記載されているものと認められる。
「入賞球を検知するセーフセンサー１８１及び、排出制御装置６００及び遊技盤制御装置４００を有する制御系と、排出制御装置６００からの排出指令信号に基づいて、所定数の賞球の排出を行う球排出装置１７０と、を備え排出制御装置６００は、球排出装置１７０を主に制御し、遊技盤制御装置４００は、遊技盤に配置した電気機器を主に制御し、遊技盤制御装置４００は、セーフセンサー１８１からの検出信号に基づいて、ロウレベルのデータストローブ信号Ｃ、および賞球データＢを排出制御装置６００に出力し、排出制御装置６００が待機球検出器１６０をチェックした上で所定数の賞球の排出を球排出装置１７０に行なわせるパチンコ遊技機」
ｂ　本件請求項１に係る発明と先願発明との対比判断
　本件請求項１に係る発明と先願発明とを対比すると、
　先願発明における「セーフセンサー１８１」、「排出制御装置６００」、「遊技盤制御装置４００」、「球排出装置１７０」、「制御系」、「セーフセンサからの検出信号」、「データストロープ信号Ｃがロウレベル」、「賞球データＢ」、「待機球」、「パチンコ遊技機」は、それぞれ、
　本件請求項１に係る発明における、「入賞球検出手段」、「枠制御回路」、「遊技盤制御回路」、「賞球払出装置」、「制御手段」、「入賞球検出信号」、「待機信号の状態が予め定められた状態」、「賞球数信号」、「賞球が待機」、「パチンコ機」に相当する。　　
　そうすると、本件請求項１に係る発明と先願発明は、「入賞球を検出して入賞球検出信号を送出する入賞球検出手段及び、枠制御回路及び遊技盤制御回路を有する制御手段と、制御手段の制御下に所望数の賞球を払出可能な賞球払出装置と、を備え、枠制御回路は賞球払出装置を含むパチンコ機本体を主に制御し、遊技盤制御回路は、遊技盤に配置した電気機器を主に制御し、遊技盤制御回路は、枠制御回路に対する待機信号の状態を予め定められた状態に変化させると共に払い出す賞球数を表す賞球数信号を枠制御回路に送信し、枠制御回路は待機信号の状態が予め定められた状態のときに受信した賞球数信号に基づき払い出す賞球数を確定し、所定個数の賞球が待機していることを条件に賞球払出装置の作動を開始させて確定した数の賞球を払い出すパチンコ機。」の発明である点で一致し、
　イ．本件請求項１に係る発明では、入賞球を、入賞球検出手段での検出の後、確認して入賞球確認信号を送出する入賞球確認手段を備えているのに対して、先願発明では、入賞球確認手段を備えていない点（相違点イ）
　ロ．本件請求項１に係る発明では、枠制御回路及び遊技盤制御回路を設ける場所を限定しているのに対して、先願発明では、設置場所について記載がない点（相違点ロ）
　ハ．本件請求項１に係る発明では、入賞球検出手段を枠制御回路に接続し、入賞球確認手段を遊技盤制御回路に接続し、枠制御回路が入賞球検出信号に基づき入賞球処理装置を制御することにより、入賞球確認手段は遊技盤制御回路に入賞球確認信号を出力しているのに対して、先願発明では、入賞球検出手段は遊技盤制御回路に接続され、入賞球検出手段が遊技盤制御回路に入賞球検出信号を出力している点（相違点ハ）
　で相違する。
　そこで、前記相違点ハについて検討する。本件請求項１に係る発明は、前記相違点ハにかかる構成を採用することによって、枠制御回路に対する入賞球処理装置４４からの入賞球検出信号と、入賞球処理装置４４の入賞球確認信号に基づく遊技盤制御回路からの賞球数信号との、二系統の信号により賞球の払出を実行するので、不正遊技に対する安全性が極めて高いパチンコ機を得ることができるという格別の作用効果を奏するものであり、該構成については先願発明に記載も示唆もされておらず、また、自明の事項とも認められないから、本件請求項１に係る発明は、先願発明と同一であるということはできない。
ｃ　むすび
　よって、本件請求項１に係る発明は、先願明細書である甲第１号証に記載の発明（先願発明）と同一ではないので、本件請求項１に係る発明の特許は、特許法第２９条の２第１項の規定に違反してなされたものではない。
（４）特許法第２９条第２項違反について
ａ　甲第２乃至第４号証に記載の発明
　甲第２号証〔特開平３−１９１９７０号公報〕は、変動入賞装置への入賞球に対して排出する賞球数を賞球排出制御回路で選択決定するパチンコ機に係るものであり、以下の事項が記載されている。
「賞球排出装置８６は、案内樋８５と賞球導出樋８７の間に設けられており、案内樋８５が２条に分岐しているので、賞球排出装置８６も２系統となっている。賞球排出装置８６の流下阻止部材１０１は、流下樋１０２の側面に開設された進入孔１０３、１０３に出入するようにして流下樋１０２の下側に回動可能に軸着され、流下阻止部材１０１には、リンク部材１０４を介して排出ソレノイド１０５のプランジャ１０５ａが接続してあり、流下阻止部材１０１の上流側には、排出球検出器１０６が設けてある。また、流下樋１０２には、球等が詰まった場合などに、ピン等の工具により球等を除去するためのスリット１０７．．．が開設してある。このスリット１０７は、常時には蓋部材１０８により塞がれている。したがって、常には流下阻止部材１０１が流下樋１０２に開設した進入孔１０３から流下樋１０２内に進入していて、球の流下を阻止している。そして、賞球排出制御装置８９からの指令により排出ソレノイド１０５が励磁すると、プランジャ１０５ａが突出し、リンク部材１０４を介して流下阻止部材１０１を回動し、流下阻止部材１０１が流下樋１０２内から進出して、球を流下させる。流下する球は排出球検出器１０６により検出され、予め定めた一定数の球を検出すると、賞球排出制御装置８９からの指令により排出ソレノイド１０５が消磁し、プランジャ１０５ａが吸引され、流下阻止部材１０１が流下樋１０２内に進入して、球の流下を阻止する。」（第４頁右下欄第３行〜第５頁左上欄第９行）、
「主制御装置８８の構成を第１７図により説明する。主制御装置８８は、ゲーム内容等のプログラムデータや可変表示装置３４への表示データ等を記憶させたＲＯＭ１２６と、ワーキング用のデータメモリであるＲＡＭ１２７と、遅延時間等を設定する為のタイマ１２８と、補助遊技の遊技結果等を判定する判定制御回路１２９と、音楽データを生成するためのサウンドジェネレータ１３０等を有するＣＰＵ（マイクロコンピュータ）１３１からなり、発振器１３２から時間制御に必要なクロックを供給されている。また、ＣＰＵ１３１の入力ボートバッファには、ローパスフィルタを介して、第１特定入賞スイッチ７、第２特定入賞スイッチ９、特別入賞検出器７３、入賞個数検出器４０、第１モータスイッチ７６、第２モータスイッチ７７等から信号が入力されるとともに、ドライバを介して、第１ソレノイド６１、第２ソレノイド６２、第３ソレノイド７１、モータ７８、可変表示装置３４、継続回数表示器３５、入賞個数表示器３６等に駆動信号を送出し、半導体リレーを介して賞球排出制御回路１３３へ出力信号を送信している。また、サウンドジェネレータ１３０からは、アンプに効果音データが送出され、スピーカにより効果音が発生される。」（第５頁左下欄第１５行〜第５頁右下欄第１８行）、
「賞球排出制御装置８９は、ワーキング用のデータメモリであるＲＡＭ１３４と、制御データ等を記憶させたＲＯＭ１３５等を有するＣＰＵ（マイクロコンピュータ）１３６からなる。そして、賞球数設定器９３ａ，９３ｂ、セーフセンサ１２４、オーバーフロー検出器９５、球不足検出器９４、記憶排出スイッチ９２、球抜スイッチ９１、賞球排出制御回路１３３、排出検出器１０６等から信号が入力されるとともに、店内の適宜な箇所に設けた管理装置からの打止め指令信号が入力される。また、ドライバを介して、排出ソレノイド１０５、ストッパソレノイド１１８に駆動信号を送出するとともに、遊技盤１前面等に設けた賞球ランプ、完了ランプ、オーバーフローランプ、不正警告表示器、動作不良表示器、賞球数表示器、パイロットランプ、スピーカ、球発射装置９０等に駆動信号を送出する。また、ＣＰＵ１３６、球発射装置９０には、電源から駆動電力が供給されている。第１９図により、賞球排出制御回路１３３の動作を説明する。賞球排出制御回路１３３は、変動入賞装置６内への入賞球に対して排出する賞球数を選択決定し、決定した賞球数を賞球排出制御装置８９へ指令するための回路で、第１モータスイッチ７６と入賞個数検出器４０が第１アンドゲート１３７、第２モータスイッチ７７と入賞個数検出器４０が第２アンドゲート１３８に接続されている。そして、第１アンドゲート１３７が開成された場合には、例えば「７個賞球指令」が、第２アンドゲート１３８が開成された場合には、例えば「１３個賞球指令」が賞球排出制御装置８９へ送出される。また、本実施例においては、変動入賞装置６以外の入賞具４，８，１０へ入賞し入賞球に対しては、「７個賞球指令」が送出される。」（第６頁左上欄第１行〜右上欄第１４行）、
第１７図、第１８図。
　前記摘示した事項によれば、甲第２号証には、以下の発明が記載されているものと認められる。
「第１特定入賞スイッチ７や第２特定入賞スイッチ９からの信号が入力されるとともに、賞球排出制御回路１３３へ出力信号を送信するＣＰＵ１３１からなる主制御装置８８、主制御装置８８からの信号を受けて、賞球排出制御回路１３３が変動入賞装置６への入賞球に対して排出する賞球数を選択決定し、決定した賞球数を賞球排出制御装置８９に指令すると、賞球排出制御装置８９は球不足でないことを確認した上で賞球排出装置８６に、その決定した賞球数を排出させるパチンコ機」　
  甲第３号証〔特開平３−５５０８０号公報〕は、 パチンコ機の画像表示装置に係るものであり、以下の事項が記載されている。
「デジタル５２のデータ転送制御は、他のフェーズでの情報を基にデジタル５２の表示動作を選択して対応する制御信号をインターフェース部からデジタル５２の液晶駆動基板５３のＬＣＤ表示用ＣＰＵ８６に転送する。制御信号は、晋段動作、回転動作、大当たり動作、大当たり終了動作等を指令する制御コード、データ信号およびデータ信号の有効、無有効を示すストローブ信号よりなり、第２２図のように、データ転送要求に応じて制御域に設定された所定のデータを出力する。なお、データ信号の切り換えはストローブ信号に応じて行う。（４．１０７，４．１０８，４．１１２〜４．１２３，４．１３３）」（第１０頁右下欄第９行〜第１１頁左上欄第１行）。
  甲第４号証〔特開昭６０−１１９９７７号公報〕は、 電子ゲーム装置に係るものであり、以下の事項が記載されている。
「そうして、ゲームを始めるため、子供電子ゲーム装置６のキー７を操作すると、サブＣＰＵ１６は、このキー操作を検出して、第２図の制御信号ラインを介して第１３図に示すように、インタラプト信号ＩＮＴを親電子ゲーム装置１のメインＣＰＵ１４に与えて、割り込み処理を指令する。これにより、メインＣＰＵ１４はサブＣＰＵ１６に選択信号ＣＥを与えてバスラインａ、Ｄ、Ａが開かれるとともに、命令コード転送信号ＯＰもサブＣＰＵ１６に与え、これによりキー入力があったことを示すキー入力命令がバスラインａ、Ｄ、Ａを介して転送出力され、この命令コードがメインＣＰＵ１４に書き込まれる。この時、サブＣＰＵ１６が選択信号ＣＥを受け取ると、サプＣＰＵ１６はインタラプト信号ＩＮＴの出力を停止する。」（第６頁左下欄第１１行〜右下欄第５行）。
ｂ．本件請求項１に係る発明と甲第２乃至甲第４号証記載の発明との対比・判断
　本件請求項１に係る発明と甲第２号証に記載された発明とを対比すると、甲第２号証に記載の発明は、本件請求項１に係る発明を特定する事項のうち少なくとも「入賞球を、入賞球検出手段での検出の後、確認して入賞球確認信号を送出する入賞球確認手段」、「枠制御回路は、前枠に添設したリアプレートに対して開閉可能に蝶着された機構枠セット部材から外れた、リアプレートの背面側の下方に設けられ、遊技盤制御回路は、前枠に対して着脱自在に収納された遊技盤の裏面側に止着される構成」、「入賞球検出手段を枠制御回路に接続し、入賞球確認手段を遊技盤制御回路に接続し、枠制御回路が入賞球検出信号に基づき入賞球処理装置を制御することにより、入賞球確認手段は遊技盤制御回路に入賞球確認信号を出力する構成」を備えておらず、また前記事項は甲第３乃至甲第４号証記載の発明にも記載も示唆もなく、本件請求項１に係る発明は、上記構成を備えることにより、「枠制御回路に対する入賞球処理装置４４からの入賞球検出信号と、入賞球処理装置４４の入賞球確認信号に基づく遊技盤制御回路からの賞球数信号との、二系統の信号により賞球の払出を実行するので、遊技盤制御回路に対する不正な信号を入力した場合の発見が容易となり、不正に賞球払出装置を作動させたり、不正な信号を入力して大当りを発生させるなどの改造ができず不正遊技に対する安全性が極めて高い」等の顕著な効果を奏するものであるから、本件請求項１に係る発明が、上記甲第２乃至甲第４号証に記載の発明に基づいて当業者が容易に発明をすることができたものとすることはできない。
ｃ．むすび   
　よって、本件請求項１に係る発明は、甲第２乃至甲第４号証に記載の発明に基づいて当業者が容易に発明をすることができたものではないので、本件請求項１に係る発明の特許は、特許法第２９条第２項の規定に違反してなされたものではない。
４．まとめ
　以上のとおりであるから、特許異議の申立ての理由によっては本件請求項１に係る発明についての特許を取り消すことはできない。
　また、他に本件請求項１係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年７月９日（２００２．７．９）
【訂正の要旨】
（１）訂正の要旨
　ｉ．訂正事項ａ
　特許請求の範囲の請求項１の記載を、特許請求の範囲の減縮および明りょうでない記載の釈明を目的として
　「【請求項１】入賞球を検出して入賞球検出信号を送出する入賞球検出手段及び、
　入賞球を、入賞球検出手段での検出の後、確認して入賞球確認信号を送出する入賞球確認手段を有する入賞球処理装置と、
　枠制御回路及び遊技盤制御回路を有する制御手段と、
　制御手段の制御下に所望数の賞球を払出可能な賞球払出装置と、
　を備え、
　枠制御回路は、前枠に添設したリアプレートに対して開閉可能に蝶着された機構枠セット部材から外れた、リアプレートの背面側の下方に設けられて、この機構枠セット部材に設けられた賞球払出装置を含むパチンコ機本体を主に制御し、
　遊技盤制御回路は、前枠に対して着脱自在に収納された遊技盤の裏面側に止着され、遊技盤に配置した電気機器を主に制御し、
　入賞球検出手段を枠制御回路に接続し、
　入賞球確認手段を遊技盤制御回路に接続し、
　枠制御回路が入賞球検出信号に基づき入賞球処理装置を制御することにより、入賞球確認手段は遊技盤制御回路に入賞球確認信号を出力し、
　遊技盤制御回路は入賞球確認信号に基づいて、枠制御回路に対する待機信号の状態を予め定められた状態に変化させると共に払い出す賞球数を表す賞球数信号を枠制御回路に送信し、
　枠制御回路は待機信号の状態が前記予め定められた状態のときに受信した賞球数信号に基づき払い出す賞球数を確定し、所定個数の賞球が待機していることを条件に賞球払出装置の作動を開始させて確定した数の賞球を払い出すことを特徴とするパチンコ機。」と訂正する。
　ｉｉ．訂正事項ｂ
　特許明細書の段落【０００４】の【課題を解決するための手段】を、明りょうでない記載の釈明を目的として
「【課題を解決するための手段】本発明は、上記に鑑み提案されたもので、入賞球を検出して入賞球検出信号を送出する入賞球検出手段及び、入賞球を、入賞球検出手段での検出の後、確認して入賞球確認信号を送出する入賞球確認手段を有する入賞球処理装置と、枠制御回路及び遊技盤制御回路を有する制御手段と、制御手段の制御下に所望数の賞球を払出可能な賞球払出装置と、を備え、枠制御回路は、前枠に添設したリアプレートに対して開閉可能に蝶着された機構枠セット部材から外れた、リアプレートの背面側の下方に設けられて、この機構枠セット部材に設けられた賞球払出装置を含むパチンコ機本体を主に制御し、遊技盤制御回路は、前枠に対して着脱自在に収納された遊技盤の裏面側に止着され、遊技盤に配置した電気機器を主に制御し、入賞球検出手段を枠制御回路に接続し、入賞球確認手段を遊技盤制御回路に接続し、枠制御回路が入賞球検出信号に基づき入賞球処理装置を制御することにより、入賞球確認手段は遊技盤制御回路に入賞球確認信号を出力し、遊技盤制御回路は入賞球確認信号に基づいて、枠制御回路に対する待機信号の状態を予め定められた状態に変化させると共に払い出す賞球数を表す賞球数信号を枠制御回路に送信し、枠制御回路は待機信号の状態が前記予め定められた状態のときに受信した賞球数信号に基づき払い出す賞球数を確定し、所定個数の賞球が待機していることを条件に賞球払出装置の作動を開始させて確定した数の賞球を払い出すようにしたものである。」と訂正する。
　ｉｉｉ．訂正事項ｃ
　特許明細書の段落【０００５】の【作用】を、明りょうでない記載の釈明を目的として
「【作用】枠制御回路及び遊技盤制御回路を有した制御手段において、入賞球確認信号に基づいて遊技盤制御回路が枠制御回路に対する待機信号の状態を予め定められた状態に変化させると共に払い出す賞球数を表す賞球数信号を枠制御回路に送信する一方、枠制御回路では待機信号の状態が予め定められた状態のときに受信した賞球数信号に基づき払い出す賞球数を確定し、所定個数の賞球が待機していることを条件に賞球払出装置に対して賞球の払出を命令する。」と訂正する。
　ｉｖ．訂正事項ｄ
　特許明細書の段落【００４０】の【発明の効果】を、明りょうでない記載の釈明を目的として
「【発明の効果】本発明によれば、遊技盤制御回路は入賞球確認信号に基づいて、枠制御回路に対する待機信号の状態を予め定められた状態に変化させると共に払い出す賞球数を表す賞球数信号を枠制御回路に送信し、枠制御回路は待機信号の状態が前記予め定められた状態のときに受信した賞球数信号に基づいて払い出す賞球数を確定し、所定個数の賞球が待機していることを条件に賞球払出装置の作動を開始させて確定した数の賞球を払い出し、また遊技盤制御回路に対して枠制御回路からの信号の入力がないので遊技盤制御回路に対する不正な信号を入力した場合の発見が容易となり、不正に賞球払出装置を作動させたり、不正な信号を入力して大当りを発生させるなどの改造ができない安全性の極めて高いパチンコ機を提供する」と訂正する。
（５４）【発明の名称】
パチンコ機
（５７）【特許請求の範囲】
　【請求項１】　入賞球を
検出して入賞球検出信号を送出する入賞球検出手段及び、
　
入賞球を、入賞球検出手段での検出の後、確認して
を有する入賞球処理装置
　枠制御回路及び遊技盤制御回路を有する制御手段と、
　制御手段の制御下に所望数の賞球を払出可能な賞球払出装置と、
　を備え、
　
枠制御回路は、前枠に添設したリアプレートに対して開閉可能に蝶着された機構枠セット部材から外れた、リアプレートの背面側の下方に設けられて、この機構枠セット部材に設けられた賞球払出装置を含むパチンコ機本体を主に制御し、
　
遊技盤制御回路は、前枠に対して着脱自在に収納された遊技盤の裏面に止着され、遊技盤に配置した電気機器を主に制御し、
　
入賞球検出手段を枠制御回路に接続し、
　入賞球確認手段を遊技盤制御回路に接続し、
　
枠制御回路が入賞球検出信号に基づき入賞球処理を制御することにより、入賞球確認手段は遊技盤制御回路に入賞球確認信号を出力し、
　遊技盤制御回路は入賞球確認信号に基づいて
、枠制御回路に対する
予め定められた状態に
　枠制御回路は待機信号の状態が
前記
【発明の詳細な説明】
　【０００１】
　【産業上の利用分野】
　この発明はパチンコ機に関し、入賞した打球を検出して所定数の賞球を払い出すため、入賞球処理装置と賞球払出装置と両装置を制御する制御装置とを備えるパチンコ機に関するものである。
　【０００２】
　【従来の技術】
　周知のように、パチンコ機は遊技者が発射した打球が入賞口等に入球して入賞球となると、この入賞球に基づいて所定数の賞球が遊技者に払い出される。このため、パチンコ機には、上記入賞球を検出して賞球を払い出すための信号を送出する入賞球処理装置と、上記信号に基づいて所定数の賞球を払い出すための賞球払出装置と、両装置を制御するための制御装置が設けてある。
　【０００３】
　【発明が解決しようとする課題】
　しかしながら、従来のパチンコ機においては、入賞球処理装置の信号に基づいて賞球払出装置が直ちに賞球を払い出すので、万一、不正な信号が賞球払出装置に送信されると、賞球払出装置は不正な信号であっても賞球を払い出してしまう。従って、遊技者が不当な利益を得ることが可能になると共に、遊技店に不正遊技による被害が発生する。また、近年のパチンコ機においては、遊技が複雑化しているので制御装置の負担が増大している。更に、遊技盤の交換が可能な所謂分離式のパチンコ機の制御装置において、パチンコ機本体を制御する部分までも、遊技盤を制御する部分と共に交換するのは無駄である。
　【０００４】
　【課題を解決するための手段】
　本発明は、上記に鑑み提案されたもので、入賞球を
検出して入賞球検出信号を送出する入賞球手段及び、入賞球を、入賞球手段での後、確認して
を有する入賞球処理装置
枠制御回路は、前枠に添設してリアプレートに対して開閉可能に蝶着にされたセット部材から外れた、リアプレートの背面側の下方に設けられて、この機構枠セット部材に設けられた賞球払出装置を含むパチンコ機本体を主に制御し、遊技盤制御回路は、前枠に対して着脱自在に収納された遊技盤の裏面側に止着され、遊技盤に配置した電気機器を主に制御し、入賞球検出手段を枠制御回路に接続し、
枠制御回路が入賞球検出信号に基づき入賞球処理装置を制御することにより、入賞球確認手段は遊技盤制御回路に入賞球確認信号を出力し、
、枠制御回路に対する
予め定められた状態に
前記
　【０００５】
　【作用】
　枠制御回路及び遊技盤制御回路を有した制御手段において、入賞球確認信号に基づいて遊技盤制御回路が
枠制御回路に対する
予め定められた状態に
　【０００６】
　【実施例】
　以下、本発明を図面の実施例について説明すると、図１はパチンコ機１の一部を欠截した概略正面図であって、窓部を有して額縁状の前枠２の一側を外枠３に開閉可能に蝶着し、上記窓部には金枠４を設け、該金枠４の上方部分にはガラスを装着したガラス枠５を開閉可能に軸着し、上記外枠３及びガラス枠５を施錠装置６で施錠する。また、ガラス枠５の下方部分には上皿７を設けたフロントプレート８等からなる上受皿セット９を設け、前枠２の下方部分には下皿１０を設けた下受皿セット１１を設ける。更に、上記上受皿セット９の裏面側の遊技盤載置台１２には、上皿７から打球発射装置１３へ球を一個宛に供給する球送り装置１４や、効果音等を上皿７のスリット７′を通して放声するスピーカＳＰを設ける。
　【０００７】
　上記前枠２の窓部には、表面側にガイドレール１５で囲まれる遊技部１６を形成した遊技盤１７を交換可能に臨ませる。この遊技部１６内には可変表示装置１８や変動入賞装置１９等の各種役物、始動口２０や各種入賞具２１ａ，２１ｂ、風車２２ａ，２２ｂ、或は各種表示灯２３等を配設し、最下位置にアウト口２４を配設する。また、上記ガイドレール１５の外側で左側の上方部分には賞球表示灯Ｌ１を、右側の上方部分には完了表示灯Ｌ２を設け、更に前枠２の上縁には外部表示灯２５を設ける。
　【０００８】
　上記下受皿セット１１の前面側には後述する打球発射装置１３により遊技部１６に打ち込む打球の飛距離を調整するための操作グリップ２６を設ける。打球発射装置１３は、例えば発射ソレノイド２７を駆動源とし、所定の周期で供給される駆動パルスにより、発射位置にある球を発射レール２８に沿って遊技部１６内に発射する。打球の飛距離調整は、グリップ２６に内蔵した可変抵抗器の抵抗値を遊技者が操作レバー２６′を操作することにより、発射ソレノイド２７に供給する電圧を調整して行う。
　【０００９】
　また、上記発射ソレノイド２７のプランジャの摺動に連動して球送り装置１４が作動し、上皿７に連通する球送り通路を通して発射位置に１個宛に供給する。尚、球送り通路の球入口２９には上皿シャッタ３０を設け、この上皿シャッタ３０をリンク機構を介してラッチングソレノイドからなる上皿ソレノイドＳＯＬ３により制御する。そして、後述する賞球を貯留しておく上タンクが空になったとき、プランジャの位置を自己保持可能なラッチングソレノイドからなる上皿ソレノイドＳＯＬ３を、プランジャが突出する方向に駆動して上皿シャッタ３０を閉じて打球の発射を停止し、球の補給が完了したら吸引する方向に駆動して上皿シャッタ３０を開放して打球の発射を可能にする。
　【００１０】
　一方、図２はパチンコ機１の概略背面図であって、上記前枠２の背面側には、遊技盤１７を着脱自在に収納する皿枠状のリヤプレート３１を添設し、このリヤプレート３１の背面側には、パチンコ機１の背面側における主要部材を前枠２の裏面側に取り付けるため本体ベース３２等からなる機構枠体を設ける。例えば、背面側から見て向かって左側上部には、賞球を貯留しておくための上タンク３３を本体ベース３２を介して着脱自在に設けると共に、この上タンク３３に連通して後述する賞球払出装置３４に球を誘導する下タンク３５を設ける。また、上タンク３３の右側位置には、後述する制御手段を構成する枠制御回路（基板）とホールコンピュータ等の外部とを電気的に接続する本体端子板３６を配置すると共に、遊技盤１７の裏面側に止着した後述する制御手段を構成する遊技盤制御回路（基板）とパチンコ機１の外部及び上記本体端子板３６とを電気的に接続する中継端子板３７が臨む配線通過口３８を開設する。
　【００１１】
　上記リヤプレート３１には蝶番３９を介して機構枠体の一種である機構枠セット部材を開閉可能に蝶着する。この機構枠セット部材は閉止時にリヤプレート３１の所定部分を覆う部材であって、上記下タンク３５に連通する賞球樋４０や賞球払出装置３４を形成すると共に、当該賞球払出装置３４が払い出す賞球を賞球出口（リヤプレート３１の上皿入口）を通して上皿７に導く賞球放出路４１等を形成する。また、上記機構枠セット部材には遊技盤１７の後方ほゞ中央部分を覆うリヤカバー４２を形成し、当該リヤカバー４２の下縁部分には入賞球の誘導路４３や入賞球を入賞球処理装置４４に導く整流樋ユニットを設ける。更に、上記リヤカバー４２の側方部分には遊技盤制御回路を収設した遊技盤制御ボックス４５に対応する開口窓４６を開設し、該開口窓４６の側縁に沿って配線押え部４７を形成する。
　【００１２】
　また、上記機構枠セット部材には後述する入賞球処理装置４４を形成したベース板４８を設け、入賞球を導く入賞球誘導通路４９や入賞球処理装置４４に作用した入賞球を排出する入賞球排出通路５０を形成する。更に、遊技盤１７に開設したアウト口２４に連通してアウト球を排出するアウト球通路５１を形成し、該アウト球通路５１にはアウト球検出スイッチ５２を臨ませる。
　【００１３】
　そして、上記ベース板４８には枠制御回路と賞球払出装置３４とを電気的に接続するコネクタ５３を設け、このコネクタ５３は当該機構枠セット部材を閉止した場合に枠制御ボックス５４に設けたコネクタ５５と互いに嵌合して接続されるように構成する。また、ベース板４８には、下皿１０が満杯になって溢れた球によって作動するオーバーフロースイッチＳＷ５を設ける。このオーバーフロースイッチＳＷ５は例えば球圧により回動する受圧レバーでフォトセンサーを作動させるものでもよいし、マイクロスイッチによるものでもよい。尚、このベース板４８には後述する賞球払出装置３４に設けた球抜き機構５６を作動させた際に上タンク３３の球をパチンコ機１の外部に排出する球抜き樋５７を形成してある。
　【００１４】
　そして、パチンコ機１の背面図においては、遊技盤１７の裏面側の所定位置、例えば遊技盤１７の裏面に向かって左側部分には、遊技盤１７の前面側に配置する可変表示装置１８や変動入賞装置１９等、主に遊技盤１７に配置した電気機器の制御を行う遊技盤制御回路を形成した遊技盤制御基板を収設する遊技盤制御ボックス４５が現れ、また、上記機構枠セット部材から外れた下方位置のリヤプレート３１には、打球発射装置１３、入賞球処理装置４４、賞球払出装置３４等、主にパチンコ機本体側の制御処理を行う枠制御回路を形成した枠制御基板を収設する枠制御ボックス５４が現れている。
　【００１５】
　上記枠制御ボックス５４の前方位置には打球発射装置１３の駆動部や上皿７から球を１個宛に供給する球送り装置１４等を配設する。そして、上記機構枠セット部材の下方位置には上皿７から溢れた球を下皿１０へ誘導する流下樋５８を設ける。
　【００１６】
　所望の賞球を払い出す賞球払出装置３４は、図示の実施例によれば、機構枠セット部材の上半部分に形成した蛇行状の賞球樋４０に沿って構成されており、球切れ検出手段５９と払出計数手段６０と払出停止手段６１とを有している。この球切れ検出手段５９は、賞球樋４０の上流部分に設けてあり、例えば、賞球樋４０の近傍に回動自在に軸着されて一部が賞球樋４０内に嵌入可能な検出レバー６２と、この検出レバー６２の回動状態を検出する賞球検出スイッチＳＷ１とからなり、賞球樋４０内に球が存在する場合には、球圧により上記検出レバー６２が賞球樋４０の外に押し出された状態となるので、この状態を賞球検出スイッチＳＷ１である光センサにより検出する。そして、該光センサが送出するパルスを球切れ信号として後述する制御に利用する。
　【００１７】
　一方、賞球樋４０の下流部分には払出計数手段６０を設ける。この払出計数手段６０は、例えば、球の外径に対応して球を１個宛に受止め可能な凹部を周縁に複数個形成したスプロケット６３と、このスプロケット６３に同軸上に位置するラチェットと、同じく同軸上の回転板とを一体に形成し、上記凹部に対応して設けた検出孔６４及び該検出孔６４を検出する光センサによる賞球計数検出スイッチＳＷ２とからなり、上記スプロケット６３の一部を賞球樋４０内に臨ませて当該賞球樋４０内を流下する球をスプロケット６３の凹部で受け止めた際にスプロケット６３が回転するようになし、スプロケット６３の検出孔６４を上記賞球数計数検出スイッチＳＷ２によりカウントして賞球樋４０を流下する球、即ち払い出す球を計数する。
　【００１８】
　そして、上記払い出した球が所定数に達した場合に、上記スプロケット６３の回転を阻止して球の払出しを停止する払出停止手段６１を形成する。この払出停止手段６１は、上記ラチェットに係止可能な係止爪と、この係止爪を揺動させる揺動レバーと、この揺動レバーを駆動制御する自己保持可能なラッチングソレノイドで構成した賞球払出ソレノイドＳＯＬ１とからなる。
　【００１９】
　上記のような構成において、賞球払出ソレノイドＳＯＬ１のプランジャが吸引されて揺動レバーが回動し、係止爪がラチェットに係止すると、スプロケット６３の回転が阻止されているので賞球の払出は行われない。この状態から賞球払出ソレノイドＳＯＬ１を励磁してプランジャを突出させると、傾動レバーが回動して係止爪がラチェットから外れ、スプロケット６３は自由に回転可能となる。従って、係止爪が外れている間は賞球の払出が可能であり、スプロケット６３の回転を検出することにより払出数を計数し、払出数に基づいて上記賞球払出ソレノイドＳＯＬ１を制御すれば、スプロケット６３の回転が停止して賞球の払出を停止する。
　【００２０】
　尚、賞球払出装置３４には、外部操作可能な流路変更部材６５を設けて球抜き機構５６を形成し、賞球樋４０を直接球抜き樋に連通させて上タンク３３の球をパチンコ機１の外部に排出可能としてある。
　【００２１】
　次に、上記のような賞球払出装置３４を作動させるための入賞球処理装置４４は、上記賞球払出装置３４の下方に位置する機構枠体の一種であるベース板４８に形成してあり、入賞球検出手段６６と入賞球確認手段６７と入賞球作動手段６８を有している。上記入賞球検出手段６６は、一端が入賞球誘導通路４９に臨む第１入賞球レバー６９と、該第１入賞球レバー６９の動作により検出信号を送出する入賞球検出スイッチＳＷ３とからなる。また、入賞球確認手段６７は、上記第１入賞球レバー６９の下流側に位置して、一端が入賞球誘導通路４９に臨む第２入賞球レバー７０と、該第２入賞球レバー７０の動作により確認信号を送出する入賞球確認スイッチＳＳＷとからなる。
　【００２２】
　上記入賞球検出手段６６を構成する第１入賞球レバー６９はほゞ中程を軸により回動自在に軸支され、一端が通路壁７１に設けた第１の孔７２を通して入賞球誘導通路４９内に突入して当該入賞球誘導通路４９を流下する入賞球が当接可能である。また、上記第１入賞球レバー６９の他端にはウエイトＷを設けて入賞球が当接していないときには、当該第１入賞球レバー６９の上面が第１の孔７２の上縁に接して端を若干上向きにした位置で停止し、第１入賞球レバー６９の他端に臨ませた入賞球検出スイッチＳＷ３が作用しないように配置し、入賞球が一端に当接した場合には下向きに回動して入賞球検出スイッチＳＷ３が作用するように構成する。
　【００２３】
　一方、入賞球確認手段６７を構成する第２入賞球レバー７０はほゞ中程を軸により回動自在に軸支され、一端が通路壁７１に設けた第２の孔７３を通して入賞球誘導通路４９内に突入して当該入賞球誘導通路４９を流下する入賞球が当接可能である。また、上記第２入賞球レバー７０の他端にはウエイトＷを設けて入賞球が当接していないときには、当該第２入賞球レバー７０の上面が第２の孔７３の上縁に接して一端を若干上向きにした位置で停止し、第２入賞球レバー７０の他端に臨ませた入賞球確認スイッチＳＳＷが作用しないように配置し、入賞球が一端に当接した場合には下向きに回動して入賞球確認スイッチＳＳＷが作用するように構成する。
　【００２４】
　更に、入賞球処理装置４４には、入賞球を保持及び放球する入賞球作動手段６８を設ける。この入賞球作動手段６８は、上記第１の孔７２及び第２の孔７３に対向する位置に、軸７４′により回動自在に軸着した第１ストッパ７４を設け、この第１ストッパ７４を後述する入賞球ソレノイドＳＯＬ２の駆動により図６に示す姿勢になったときに、入賞球が第１入賞球レバー６９に当接する以前に、その入賞球を支えるようにして構成すると共に、上記第１ストッパ７４の下方には第２ストッパ７５を設け、この第２ストッパ７５を軸７５′により回動自在に軸着し、上端部分に設けた連係軸７６を第１ストッパ７４に開設した長孔７７に遊嵌して構成してある。また、上記第２ストッパ７５の軸には図示していないが復帰用のコイルスプリングを巻装して第２ストッパ７５を付勢する。更に、上記軸の側方には入賞球ソレノイドＳＯＬ２のプランジャの下端を枢着する。尚、この入賞球ソレノイドＳＯＬ２は自己保持可能なラッチングソレノイドからなる。そして、上記のような構成の入賞球処理装置４４は内部が透視可能なように透明な合成樹脂からなる機構枠セット部材の下方のベース板４８に形成してあり、上記入賞球ソレノイドＳＯＬ２のプランジャを機構枠セット部材を開放することなく手動により摺動可能なように外部操作ピンが設けてある。
　【００２５】
　次に、上記のような構成の入賞球処理装置４４における動作を簡単に説明すると、パチンコ機１に電源が投入された初期設定状態においては、入賞球ソレノイドＳＯＬ２が吸引方向へ駆動されるので、図５の状態となり、第２ストッパ７５が起立すると共に第１ストッパ７４が起立して両ストッパ７４，７５は入賞球誘導通路４９を流下する入賞球を妨害することがない。そして、入賞球が発生し、この入賞球が第１入賞球レバー６９に到達すると、この第１入賞球レバー６９が回動し、入賞球検出スイッチＳＷ３が例えばオン（″Ｈ″）する。従来の入賞球処理装置４４においては、この″Ｈ″信号を賞球排出信号等として作用するが、本実施例では更に動作を確実にするために、上記入賞球を第１入賞球レバー６９と第１ストッパ７４との間に保持し、上記入賞球検出スイッチＳＷ３のオン（″Ｈ″）が所定時間（例えば１００ｍｓ）以上継続した場合に、入賞球ソレノイドＳＯＬ２を所定時間突方向に駆動してプランジャを下方へ突出させ、第２ストッパ７５を回動させて下端を入賞球誘導通路４９内に突出させると共に、第１ストッパ７４を回動させて上端部を入賞球誘導通路４９内に突出させ、第１入賞球レバー６９と第１ストッパ７４との間に保持した入賞球を放球する。この放球された入賞球は、第２入賞球レバー７０を回動させると共に、第２ストッパ７５により保持され、入賞球確認スイッチＳＳＷがオン（″Ｈ″）すると共に、上記入賞球検出スイッチＳＷ３がオフ（″Ｌ″）する。
　【００２６】
　そして、入賞球ソレノイドＳＯＬ２を所定時間吸方向に駆動してプランジャを吸引し、第２ストッパ７５を復帰させて第２入賞球レバー７０との間に保持した入賞球を放球する。
　【００２７】
　上記のような入賞球処理装置４４及び賞球払出装置３４等を制御する制御手段は、前述したように主に遊技盤１７に配設した可変表示装置１８や変動入賞装置１９等を制御する遊技盤制御回路と、パチンコ機本体に配設する賞球払出装置３４や入賞球処理装置４４、或は打球発射装置１３等を制御する枠制御回路とからなる。そして、入賞球処理装置４４に設けた入賞球検出手段６６は枠制御回路に接続してあり、入賞球確認手段６７は遊技盤制御回路に接続してある。
　【００２８】
　次に、図７のブロック図、図８のフローチャート及び図９のタイムチャートを参照して、本実施例の賞球払出動作を説明する。入賞球処理装置４４において、入賞球検出手段６６を構成する入賞球検出スイッチＳＷ３が入賞球を検出してオン（１００ｍｓ以上″Ｈ″）すると、入賞球作動手段６８を構成している入賞球ソレノイドＳＯＬ２を突方向へ５０ｍｓ駆動すると共に、賞球表示灯Ｌ１の点灯を開始する。これにより、入賞球は入賞球検出スイッチＳＷ３の位置から入賞球確認スイッチＳＳＷの位置に移動する。入賞球確認スイッチＳＳＷが入賞球を検出すると、遊技盤制御回路は枠制御回路に対するＲＥＡＤＹ信号（待機信号）を″Ｌ″とすると共に、これと同期して賞球数信号であるＳＰＵＬＳＥ信号を送信する。
　【００２９】
　上記両信号を受信した枠制御回路は、ＳＰＵＬＳＥ信号を読み取り、ＲＥＡＤＹ信号が″Ｌ″のときのパルス数に基づいて払い出す賞球個数を決定する。尚、この払出賞球個数を枠制御基板に設けたＬＥＤ表示部に表示するとよい。
　【００３０】
　そして、枠制御回路はＲＥＡＤＹ信号（待機信号）が″Ｌ″から″Ｈ″に変換し、所定時間例えば５０ｍｓ以上経過したことを確認後、入賞球ソレノイドＳＯＬ２を吸方向へ５０ｍｓ駆動して、入賞球を入賞球処理装置４４から排出する。次に、賞球検出スイッチＳＷ１が連続して例えば５００ｍｓ以上″Ｌ″であったことにより賞球樋４０に球があることを確認する。更に、賞球樋４０に球があれば″Ｌ″に固定されているチェックスイッチ信号（ＳＣＨＫ）を２〜３ｍｓ″Ｈ″にして、賞球検出スイッチＳＷ１が″Ｈ″になることを確認して、賞球スイッチＳＷ１の故障診断を行う。また、上記チェックスイッチ信号（ＳＣＨＫ）により賞球計数検出スイッチＳＷ２が″Ｈ″になることを確認して、賞球計数検出スイッチＳＷ２の故障診断を行う。これにより賞球を払い出す準備が完了したことを確認する。
　【００３１】
　上記した賞球払出準備が完了し、入賞球ソレノイドＳＯＬ２の吸方向への駆動が終了してから１０ｍｓ以上が経過していることが確認されると、賞球払出ソレノイドＳＯＬ１を突方向へ５０ｍｓ駆動して賞球の払出を開始する。そして、払い出された賞球個数を賞球計数検出スイッチＳＷ２で読み取り、遊技盤制御回路から受信したＳＰＵＬＳＥ信号による個数と一致すると、賞球払出ソレノイドＳＯＬ１を吸方向に５０ｍｓ駆動して賞球の払出を停止すると共に、賞球表示灯Ｌ１を消灯して１回の賞球動作が終了する。
　【００３２】
　上記のようにして賞球の払出を行うパチンコ機１によれば、枠制御回路に対する入賞球処理装置４４からの入賞球検出信号と、入賞球処理装置４４の入賞球確認信号に基づく遊技盤制御回路からの賞球数信号との、二系統の信号により賞球の払出を実行するので、不正遊技に対する安全性が極めて高い。また、遊技盤制御回路に対して枠制御回路からの入力信号が無いので、遊技盤制御回路に対して不正な信号を入力した場合の発見が容易で、不正な信号を入力して大当りを発生させるなどの改造ができないし、枠制御回路の変更が遊技盤制御回路に影響しない。
　【００３３】
　次に、上記のような構成のパチンコ機１を、金額データ等を磁気記録手段などにより記録したプリペイドカードを媒体とすると共に、パチンコ機１が内蔵している賞球払出装置３４を利用して上皿７へ貸し玉を排出するカード対応型のパチンコ機１に適用した実施例を説明する。
　【００３４】
　このカード対応型のパチンコ機１は、例えば図１０に示すブロック図のようにカードユニットから玉貸要求信号を枠制御回路に入力するようにすればよい。尚、カードユニットは、玉貸要求信号を送出できればどのような構成のものでもよく例えば、パチンコ店の島に列設したパチンコ機１の間に配設するものでもよいし、パチンコ機１自身が内蔵していてもよい。
　【００３５】
　そして、枠制御回路は、玉貸要求信号があった場合は、図１１のフローチャートに従って玉を貸し出す。即ち、枠制御回路は、玉貸要求信号の有無を判別し、玉貸要求信号が有る場合は、賞球検出スイッチＳＷ１を判別して連続して５００ｍｓ以上″Ｌ″であることにより賞球樋４０に球があることを確認し、通常″Ｌ″に固定されているチェックスイッチ信号（ＳＣＨＫ）を２〜３ｍｓ″Ｈ″にした場合に、賞球検出スイッチＳＷ１及び賞球計数検出スイッチＳＷ２が″Ｈ″になることを確認して、賞球検出スイッチＳＷ１及び賞球計数検出スイッチＳＷ２の故障診断を行い、これにより玉貸の準備が完了したことを確認する。
　【００３６】
　玉貸の準備が整ったならば、賞球払出ソレノイドＳＯＬ１を突方向へ例えば５０ｍｓ駆動して玉貸を開始する。そして、貸し出された個数を賞球計数検出スイッチＳＷ２で読み取り、設定玉貸数と一致すると、賞球払出ソレノイドＳＯＬ１を吸方向に５０ｍｓ駆動して玉貸を停止する。
　【００３７】
　尚、本実施例では、カードユニットから玉貸要求信号が入力されている限りは入賞球検出スイッチＳＷ３が入賞球を検出していても玉貸を優先して処理するようにされているが、賞球払出を優先して処理するようにしてもよい。また、設定玉貸数は、例えば枠制御基板に記憶した数値により設定してもよいし、カードユニットから遊技者が選択した金額に応じる玉数を受信してもよい。
　【００３８】
　上記のようなパチンコ機１によれば、パチンコ機本体を改造することなくカード対応型のパチンコ機１とすることができる。また、枠制御回路により賞球の払出制御と玉貸の制御を行うことができるので、遊技盤制御回路に影響がなく、従ってゲームにも影響しない。
　【００３９】
　以上本発明を図面の実施例について説明したが、本発明は上記した実施例に限定されるものではなく、特許請求の範囲に記載した構成を変更しない限り適宜に実施できる。例えば、賞球払出装置としてスプロケット形式のものを例示しているが他の構成の賞球払出装置を適用することもできる。
　【００４０】
　【発明の効果】
　本発明によれば、
遊技盤制御回路は入賞球確認回路に基づいて、枠制御回路に対する待機信号の状態を予め定められた状態に変化させられた状態に変化させると共に払い出す賞球数を表す賞球数信号を枠制御回路に送信し、枠制御回路は待機信号の状態が前記予め定められた状態のときに受信した
いて
賞球払出装置の動作を開始させて確定した数の賞球を払い出
制御回路
して枠制御回路からの
【図面の簡単な説明】
　【図１】
　パチンコ機の正面図である。
　【図２】
　パチンコ機の背面図である。
　【図３】
　パチンコ機において機構枠セット部材の一部を欠截した状態の背面図である。
　【図４】
　入賞球処理装置の正面図である。
　【図５】
　入賞球処理装置の第１の状態を示す端面図である。
　【図６】
　入賞球処理装置の第２の状態を示す端面図である。
　【図７】
　制御手段の一例のブロック図である。
　【図８】
　賞球動作に関するフローチャートである。
　【図９】
　賞球動作に関するタイムチャートである。
　【図１０】
　カード対応型パチンコ機における制御手段の一例のブロック図である。
　【図１１】
　カード対応型パチンコ機における賞球動作に関するフローチャートである。
　【図１２】
　カード対応型パチンコ機における賞球動作に関するタイムチャートである。
　【符号の説明】
　　１　パチンコ機
　３４　賞球払出装置
　４４　入賞球処理装置
　６６　入賞球検出手段
　６７　入賞球確認手段
　６８　入賞球作動手段